(57)【要約】【課題】  可搬型記憶媒体にセキュリティが施されているかどうかを使用者に提示する。【解決手段】  ホストコンピュータ２からリードライト装置１に装着された可搬型記憶媒体へのアクセスに先立って、読み出し手段１５によって可搬型記憶媒体に記録されたアクセス制限情報が読み出される。アクセス要求時、判別手段１３は、読み出されたアクセス制限情報に基づいて、可搬型記憶媒体へのアクセス可否を判別する。アクセス可の場合、アクセスが許可され、このとき通知手段１７はアクセス実行中などの装置の動作状態を通知する。一方、アクセス制限情報に基づいてアクセスが不可と判別された場合、ホストコンピュータ２からのアクセス要求を拒否するとともに、通知手段１７に装置の動作状態を表す通知とは異なる動作をさせることによってアクセス制限情報に基づくアクセス拒否であることを通知する。【選択図】  図１
2005085318.tif 000002
【特許請求の範囲】
【請求項１】
着脱自在な可搬型記憶媒体に記録されている所定のアクセス制限情報に基づいて読み出しあるいは書き込みのアクセス制限を行う可搬型記憶媒体のリードライト装置において、
視覚あるいは聴覚を通じて使用者に装置の動作状態を通知する通知手段と、
前記可搬型記憶媒体へのアクセスに先立って、前記可搬型記憶媒体から前記アクセス制限情報を読み出す読み出し手段と、
前記可搬型記憶媒体へのアクセス可否を判別し、前記アクセス制限情報に基づいてアクセス拒否の判別がされた場合、前記通知手段に前記装置の動作状態の通知とは異なる動作をさせて前記アクセス制限情報に基づくアクセス拒否を通知する判別手段と、
を具備することを特徴とする可搬型記憶媒体のリードライト装置。
【請求項２】
前記通知手段は、前記可搬型記憶媒体へのアクセス実行時に点灯または消灯することによって前記可搬型記憶媒体へのアクセス状態を表示する表示手段であり、
前記判別手段は、前記アクセス制限情報に基づくアクセス拒否の通知の際、前記表示手段の点灯または消灯あるいは規則的な点滅を所定の期間継続させる、
ことを特徴とする請求項１記載の可搬型記憶媒体のリードライト装置。
【請求項３】
前記通知手段は、前記可搬型記憶媒体へのアクセス時の表示色と非アクセス時の表示色とを異なる色にすることによって前記可搬型記憶媒体へのアクセス状態を表示する表示手段であり、
前記判別手段は、前記アクセス制限情報に基づくアクセス拒否の通知の際、所定の期間前記表示手段を前記アクセス時および前記非アクセス時の表示色とは異なる表示色で表示させる、
ことを特徴とする請求項１記載の可搬型記憶媒体のリードライト装置。
【請求項４】
前記通知手段は、装置の異常が検出された場合に装置異常を通知する音声出力手段であり、
前記判別手段は、前記アクセス制限情報に基づくアクセス拒否の通知の際、他の要因による前記装置異常の通知とは異なる音声を出力させる、
ことを特徴とする請求項１記載の可搬型記憶媒体のリードライト装置。
【請求項５】
着脱自在な可搬型記憶媒体に記録されている所定のアクセス制限情報に基づいて読み出しあるいは書き込みのアクセス制限を行うリードライト装置において前記可搬型記憶媒体へのアクセス可否を判別する記憶媒体判別方法であって、
前記可搬型記憶媒体へのアクセスに先立って、前記可搬型記憶媒体から前記アクセス制限情報を読み出し、
前記アクセス制限情報を用いて前記可搬型記憶媒体へのアクセス可否を判別し、
前記アクセス制限情報に基づいて前記可搬型記憶媒体へのアクセス拒否が判別された場合に、視覚あるいは聴覚を通じて使用者に装置の動作状態を通知する通知手段に前記装置の動作状態の通知とは異なる動作をさせて前記アクセス制限情報に基づくアクセス拒否を通知する、
手順を有することを特徴とする記憶媒体判別方法。
【発明の詳細な説明】
【技術分野】
【０００１】
本発明は可搬型記憶媒体のリードライト装置およびその記憶媒体判別方法に関し、特に着脱自在な可搬型記憶媒体に記録されているアクセス制限情報に基づいて可搬型記憶媒体へのアクセスを制限する可搬型記憶媒体のリードライト装置および可搬型記憶媒体にアクセス制限がされているかどうかを判別する記憶媒体判別方法に関する。
【背景技術】
【０００２】
磁気ディスク、光磁気ディスクや光ディスクなどの可搬型記憶媒体は、装置に着脱自在であり、画像、音楽、データを収容するマルチメディア媒体として利用されている。このような可搬型記憶媒体は、互換性を有するリードライト装置に装着（挿入）すれば、データ（情報）の読み出しが可能であり、種類によっては、データの書き込みも行える。このため、記録されている著作物データまたは機密データの盗用や改ざんといった不正使用からデータを保護するセキュリティ対策が求められている。
【０００３】
そこで、可搬型記憶媒体に記録されたデータの機密性保護のため、パスワードによってアクセス制限をかけるリードライト装置がある（たとえば、特許文献１参照。）。
以下、パスワードを用いてセキュリティチェックを行うリードライト装置について説明する。図７は、従来の可搬型記憶媒体挿入時のセキュリティチェックの手順を示したフローチャートである。なお、図の例のリードライト装置は、装置がデータアクセス状態であることを通知するためのＬＥＤ（Light Emitting Diode）が設けられている。
【０００４】
リードライト装置に可搬型記憶媒体（以下、メディアとする）が挿入されると、メディア内部のパスワードなどを読み出すメディアロードを開始する（ステップＳ１０１）。このとき、メディアに対するアクセス実行状態であることを示すため、ＬＥＤを点灯する。メディアロード完了後、ＬＥＤを消灯し、使用者からのアクセスを待つ（ステップＳ１０２）。使用者のメディアアクセス操作によって、ホストコンピュータからパスワードが入力される（ステップＳ１０３）。なお、この処理は、ホストコンピュータで起動された専用のユーティリティによって実行される。この入力されたパスワードと、メディアから読み出したパスワードを照合し、データアクセスの可否を判定する（ステップＳ１０４）。照合の結果、データアクセスが許可される場合、アクセス許可が設定され、以降、使用者は自由にデータを操作することが可能となる（ステップＳ１０５）。一方、照合の結果、データアクセスが認められない場合は、アクセス拒否をホストコンピュータに通知し、ステップＳ１０３へ戻って、次のパスワードの入力を待つ（ステップＳ１０６）。
【０００５】
以上の処理が実行されることにより、パスワードを用いたアクセス制御が行われ、メディアに記録されたデータのセキュリティが確保されていた。
【特許文献１】特開２００１−３１２３７４号公報（段落番号〔００１６〕〜〔００４０〕、図１）
【発明の開示】
【発明が解決しようとする課題】
【０００６】
しかし、従来の可搬型記憶媒体のリードライト装置では、ホストコンピュータで専用のアプリケーションが起動されていないとメディアにセキュリティが設定されているかどうか判別できない、という問題点があった。
【０００７】
一般に、セキュリティを施されたメディアのアクセス制限を解除したり、そのデータ保護状態をチェックしたりするためには、専用のアプリケーションをホストコンピュータにインストールし、起動させておく必要がある。このようなアプリケーションは、メディアアクセス時にパスワードの設定や、データの保護機能解除を処理する機能と、セキュリティチェックの結果アクセスが拒否されると、このことを使用者に通知する機能を有する。しかしながら、このようなアプリケーションは、全てのホストコンピュータにインストールされるわけではない。また、インストールされていたとしても、必要なときに使用者が起動しなければならない。
【０００８】
一方、現状では、セキュリティが施されたメディアばかりでなく、このようなアクセス制限機能が施されていないメディアも数多く存在する。ところが、アクセス制限情報はメディア内部に記録されており、メディアに添付するラベルに記載する以外に、メディアの外観からセキュリティが施されているかどうかを判別する方法はない。しかしながら、これには手間がかかるため、確実に実施されているわけではない。
【０００９】
このため、使用者がセキュリティを施されたメディアをセキュリティの施されていないメディアと勘違いするなどして、リードライト装置に挿入するケースが発生する。このとき、ホストコンピュータで専用のアプリケーションが起動されていないと、メディアへのパスワード設定や、設定したパスワードによるデータの保護機能解除がされない。リードライト装置ではセキュリティチェックによってアクセスを拒否し、アクセス拒否をホストコンピュータに通知する。しかしながら、専用のアプリケーションが起動されていないため、アクセスが拒否されたことは使用者に通知されるが、原因、すなわちセキュリティチェックによりアクセスが拒否されたことは通知されない。専用のアプリケーションがインストールされている場合には、これを起動することにより、原因を判別することができるが、インストールされていない場合、使用者は、なぜアクセスが拒絶されるのかを判断することができず、メディアの異常またはリードライト装置の故障と見なしてしまう。
【００１０】
このように、ホストコンピュータに専用のアプリケーションがインストールされていない場合、使用者はセキュリティが施されたメディアであるかどうかを判別することができず、メディアや装置の異常と見なすといった重大な誤認識をしてしまう。この結果、メディアが破棄されたり、故障解析に無用な時間を費やしてしまうなど、仕事の効率を下げてしまっていた。
【００１１】
また、専用のアプリケーションがインストールされている場合であっても、起動されていなければ、同様の現象が発生する。使用者がセキュリティの施されていないメディアと勘違いして挿入する場合にはアプリケーションが起動されていないと考えられ、一旦アクセスが拒否される。その後、気がつけばアプリケーションを起動してメディアを調べることができる。しかしながら、これでは判別までに手間がかかる他、セキュリティが施されているかもしれないことに気がつかなければ、メディアや装置の異常と見なしてしまうことも考えられる。
【００１２】
本発明はこのような点に鑑みてなされたものであり、可搬型記憶媒体にセキュリティが施されているかどうかを使用者に提示する可搬型記憶媒体のリードライト装置および記憶媒体判別方法を提供することを目的とする。
【課題を解決するための手段】
【００１３】
本発明では上記課題を解決するために、図１に示すような可搬型記憶媒体のリードライト装置が提供される。リードライト装置１は、ホストインタフェース（図ではホストＩ／Ｆ）手段１２を介して接続するホストコンピュータ２からのアクセス要求に従って可搬型記憶媒体にアクセスする。可搬型記憶媒体に、アクセスを制限するアクセス制限情報が記録されている場合には、アクセス制限情報に応じてアクセス制限が行われる。
【００１４】
リードライト装置１は、アクセス制限情報を読み出す読み出し手段１５、装置の動作状態を通知する通知手段１７、およびアクセス可否を判別し、アクセス制限情報に基づくアクセス拒否の場合には、通知手段１７の動作を制御してアクセス拒否を使用者に通知する判別手段１３を具備する。
【００１５】
このような可搬型記憶媒体のリードライト装置１によれば、ホストコンピュータ２からのアクセス要求による可搬型記憶媒体へのアクセスに先立って、読み出し手段１５によって可搬型記憶媒体に記録されたアクセス制限情報が読み出される。そして、ホストコンピュータ２からのアクセス要求に応じ、判別手段１３は、読み出されたアクセス制限情報に基づくアクセス可否を判別する。判別時には、必要に応じてホストコンピュータ２から入力されたアクセス制限に関する情報も参照される。アクセス可と判別された場合には、ホストコンピュータ２からのアクセス要求に応じて可搬型記憶媒体に記録されたデータの読み出し、あるいは可搬型記憶媒体へのデータの書き込みが許可される。このとき、アクセス実行中などの装置の動作状態が通知手段１７によって提示される。一方、アクセス制限情報に基づいてアクセスが不可と判別された場合、ホストコンピュータ２のアクセス要求を拒否するとともに、通知手段１７に通常の装置の動作状態を表す通知動作とは異なる動作をさせることによってアクセス制限情報に基づくアクセス拒否であることを通知する。
【００１６】
これにより、使用者は、アクセス拒否がリードライト装置および可搬型記憶媒体の異常ではなく、アクセス制限によって発生したことを判別することができる。
また、上記課題を解決するために、可搬型記憶媒体に記録されたアクセス制限情報を読み出し、アクセス制限情報に基づいてアクセス可否を判別し、アクセス制限情報に基づくアクセス拒否の場合、装置の動作状態を表す通知手段に装置の動作状態とは異なる動作をさせてアクセス制限に基づくアクセス拒否が発生したことを通知する記憶媒体判別方法、が提供される。
【００１７】
このような記憶媒体判別方法がリードライト装置１によって実行されると、所定のアクセス制限情報が記録された可搬型記憶媒体へのアクセスに先立って、アクセス制限情報が読み出される。そして、ホストコンピュータ２からアクセス要求があった場合、アクセス制限情報に基づいてアクセス可否の判別が行われる。アクセス可の場合、ホストコンピュータ２からのアクセスが許可され、可搬型記録媒体への読み出しあるいは書き込みが行われる。このとき、通知手段１７は、リードライト装置１の動作状態を提示する。一方、アクセス制限情報に基づいてアクセス拒否の判別がなされた場合、通知手段１７に装置の動作状態を表す通知とは異なる動作をさせることによって、アクセス制限情報に基づくアクセス拒否であることを使用者に通知する。
【００１８】
これにより、使用者は、リードライト装置および可搬型記憶媒体は正常であるが、アクセス制限情報に基づきアクセスが拒否されたことを知ることができる。
【発明の効果】
【００１９】
本発明の可搬型記憶媒体のリードライト装置およびリードライト装置の記憶媒体判別方法によれば、可搬型記憶媒体に記録されたアクセス制限情報に基づいてホストコンピュータからのアクセスが拒否される場合、リードライト装置が具備する装置の動作状態を通知する通知手段に装置の動作状態の通知動作とは異なる通知動作を行われることによって、アクセス制限情報に基づくアクセス拒否が発生したことを通知する。
【００２０】
これにより、使用者は、ホストコンピュータで専用のアプリケーションが起動されていない場合であっても、通知手段を確認することにより、アクセス制限情報に基づいてアクセス拒否されたことを知ることができる。この結果、セキュリティチェックによってアクセスができない場合に、リードライト装置の故障や可搬型記憶媒体の異常などと誤認識されることを防止するという効果が得られる。
【発明を実施するための最良の形態】
【００２１】
以下、本発明の実施の形態を図面を参照して説明する。まず、実施の形態に適用される発明の概念について説明し、その後、実施の形態の具体的な内容を説明する。
図１は、本発明の実施の形態に適用される発明の概念図である。
【００２２】
本発明に係るリードライト装置１は、所定の可搬型記憶媒体（以下、リムーバブルメディアとする）に記録されたデータの読み出しと書き込みを行う装置で、装置全体を制御する制御手段１１、ホストコンピュータ２との間のデータ交換処理を行うホストインタフェース手段（以下、ホストＩ／Ｆ手段とする）１２、アクセス可否の判別を行う判別手段１３、データの書き込みを制御する書き込み手段１４、読み出しを制御する読み出し手段１５、リムーバルディスクをアクセスするための機構を備えた駆動機構部１６および使用者に装置の動作状態を通知する通知手段１７を具備する。
【００２３】
制御手段１１は、装置全体を制御し、ホストＩ／Ｆ手段１２経由で入力するホストコンピュータ２からのアクセス要求に応じてリムーバブルメディアへのアクセス制御を行う。ホストコンピュータ２からのアクセス要求を入力すると、アクセス処理前に判別手段１３を起動し、アクセス可否の判別を行う。判別手段１３によってアクセス許可が判別されれば、ホストコンピュータ２のアクセスを許可し、要求に応じて書き込み手段１４あるいは読み出し手段１５を制御する。そして、読み出されたデータをホストＩ／Ｆ手段１２経由でホストコンピュータ２に送信し、ホストコンピュータ２から入力された記録データを、書き込み手段１４を用いてリムーバブルメディアに書き込む。また、判別手段１３によってアクセス拒否が判別されれば、ホストコンピュータ２からのアクセス要求に対して、アクセス拒否の通知を行う。
【００２４】
ホストＩ／Ｆ手段１２は、ホストコンピュータ２と制御手段１１との間のデータ交換を制御するインタフェースであり、具体的には、ＵＳＢ（Universal Serial Bus）や、ＳＣＳＩ（Small Computer System Interface）、ＡＴＡＰＩ（Advanced Technology Attachment Packet Interface）などである。
【００２５】
判別手段１３は、制御手段１１に従ってアクセスの前にアクセス可否の判別を行う。まず、アクセスに先立って、読み出し手段１５を用いて装着されたリムーバブルメディアからアクセス制限情報を読み出す。アクセス制限情報は、例えば、リムーバブルメディア装着時に行い、読み出しデータをバッファメモリに格納しておく。制御手段１１から、アクセス可否の判別要求を受け、アクセス可否の判定を行う。アクセス制限情報がない場合、メディア異常でなければアクセス許可とし、制御手段１１に通知する。アクセス制限情報がある場合には、アクセス制限情報に基づいてアクセス可否の判定を行う。なお、アクセス制限情報に基づくアクセス可否の判定については、種々の手法が知られている。本発明では、いずれかのアクセス可否判定手法を適用し、アクセス可否の判定を行うとする。アクセス可と判別されれば、これを制御手段１１に通知する。また、アクセス不可と判別されれば、これを制御手段１１に通知するとともに、アクセス制限情報に基づくアクセス拒否の場合であれば、通知手段１７に装置の動作状態の提示とは異なる動作をさせることによって、アクセス制限情報に基づくアクセス拒否であることを通知手段１７によって通知する。
【００２６】
書き込み手段１４は、制御手段１１に従って、入力された記録データを駆動機構部１６によってリムーバブルメディアの指示領域に書き込む処理を制御する。
読み出し手段１５は、制御手段１１に従って、駆動機構部１６を介してリムーバブルメディアの指示領域に記録されたデータの読み出し処理を制御する。また、リムーバブルメディアに記録されたアクセス制限情報を読み出し、これを判別手段１３へ伝える。
【００２７】
駆動機構部１６は、リムーバブルメディアを装着し、リムーバブルメディアに対してアクセスを行うヘッドや、アクチュエータなどの機構を有し、書き込み手段１４あるいは読み出し手段１４に従って書き込み動作あるいは読み出し動作を行う。駆動機構は、対象となるリムーバブルメディアごとに異なるので、詳細は省略する。
【００２８】
通知手段１７は、リードライト装置１の動作状態を視覚あるいは聴覚を通じて使用者に伝える手段であり、具体的には、ＬＥＤなどの表示手段あるいはブザーなどの音声出力手段である。アクセスが許可された状態では、制御手段１１に従って、例えば、装置のリムーバブルメディアへのアクセス実行状態の提示を行うなどして、装置が正常に動作していることを使用者に通知する。また、例えば、装置異常時には、異常を通知するようにしてもよい。そして、アクセス制限情報に基づいてアクセス拒否がされている場合、判別手段１３に従って、装置の動作状態あるいは装置異常の通知時の提示動作とは異なる提示動作を行う。例えば、所定の期間点灯表示を継続するなど、通常のアクセス状態の提示では起こりえないパターンの表示あるいは音声出力を行う。
【００２９】
ホストコンピュータ２は、パーソナルコンピュータなどで、使用者がリムーバブルメディアへアクセスすることを可能にするハードウェアおよびアプリケーションを具備する。
このようなリードライト装置１の動作およびそのリムーバブルメディアの判別方法について説明する。
【００３０】
使用者は、所望のリムーバブルメディアをリードライト装置１に装着し、リードライト装置１に接続するホストコンピュータ２からアクセス要求を行う。ホストＩ／Ｆ手段１２経由でホストコンピュータ２からのアクセス要求を取得した制御手段１１は、判別手段１３を起動する。なお、アクセス可否の判別処理は、リムーバブルメディア全体に対してアクセス制限がかけられている場合には初回のみ起動されればよいが、リムーバブルメディアの所定の領域ごとにアクセス制限がかけられている場合には、アクセス要求ごとに起動される。
【００３１】
判別手段１３は、読み出し手段１５を用いて、リムーバブルメディアに記録されているアクセス制限情報を読み出しておく。また、アクセス可否の判定処理ごとに読み出すようにすることもできる。そして、制御手段１１からアクセス可否判定の依頼を受けた場合にアクセス可否の判定を行う。アクセス可否の判定は、例えば、リムーバブルメディアの異なる領域に記録されているアクセス制限情報を照合して行う。あるいは、ホストコンピュータ２から入力するアクセス制限に関する情報とリムーバブルメディアのアクセス制限情報とを照合して行う。
【００３２】
アクセス可の判別がされた場合、結果は制御手段１１に伝えられる。制御手段１１は、ホストコンピュータ２からのアクセス要求に従って書き込み手段１４あるいは読み出し手段１５を制御し、アクセス処理を行う。このとき、制御手段１１は、通知手段１７を制御し、アクセス状態などの装置の動作状態を、通知手段１７によって使用者に提示する。
【００３３】
アクセス不可の判別がされた場合も、結果は制御手段１１に伝えられる。制御手段１１は、ホストコンピュータ２にアクセス制限情報に基づくアクセス拒否を通知し、アクセス処理を実行しない。アクセス不可の判別を行った判別手段１３は、通知手段１７を制御し、通知手段１７に装置の動作状態提示とは異なる動作をさせることによってアクセス制限情報に基づくアクセス拒否を使用者に通知する。
【００３４】
上記の説明のように、リードライト装置１は、判別手段１３がアクセス制限情報に基づいてアクセス拒否を判別した場合、ホストコンピュータ２にアクセス拒否を通知するとともに、通知手段１７に通常の装置の動作状態の提示動作とは異なる動作をさせる。例えば、通知手段１７がリムーバブルメディアへのアクセス時に点灯または消灯する表示手段であれば、通常のアクセス時に点灯あるいは消灯する最大の時間より長い所定の期間点灯あるいは消灯を継続させる。また、通知手段１８が装置異常時にブザー音を発生させる音声出力手段であれば、装置異常時のブザー音パターンとは異なったパターンの音を所定の期間出力する。なお、このような通知手段１７による通知は、通常の装置の動作状態を提示する処理の際には、発生しないパターンの表示あるいは音声出力が行われればよい。
【００３５】
このように、ホストコンピュータ２側に専用のアプリケーションがインストールされていなくても、通知手段１７による提示動作が通常とは異なることによって、使用者は、アクセス制限情報に基づいてアクセスが拒否されたことを知ることができる。この結果、メディア異常や装置故障などと誤認識することを防止できる。
【００３６】
以下、本発明の実施の形態を、光磁気ディスク（Magneto Optical Disk  以下、ＭＯとする）に適用した場合を例に図面を参照して詳細に説明する。
図２は本発明が適用されるＭＯドライブの構成図である。
【００３７】
ＭＯドライブ１００は、装置全体を制御するメイン制御部１１０と、ＵＳＢ制御部１２０と、ヘッド部１６１、アクチュエータ部１６２などを備えた駆動機構部１６０と、ＬＥＤ／音声出力部１７０、ドライバ部１８０、フラッシュＲＯＭ（以下、Ｆ−ＲＯＭとする）１９０、およびダイナミックＲＡＭ(以下、Ｄ−ＲＡＭとする)１９１を具備する。
【００３８】
メイン制御部１１０は、バスを介してＵＳＢ制御部１２０、ドライバ部１８０、Ｆ−ＲＯＭ１９０、およびＤ−ＲＡＭ１９１と接続する。ＭＰＵ（Microprocessing Unit）を備え、Ｆ−ＲＯＭ１９０に格納されたプログラムを実行することによって、アクセス制御を行う制御手段１１およびアクセス可否の判別を行う判別手段１３として機能する。
【００３９】
ＵＳＢ制御部１２０は、ホストコンピュータ２とメイン制御部１１０とのインタフェース処理を行うホストＩ／Ｆ手段１２である。図の例では、ホストコンピュータ２とＭＯドライブ１００とはＵＳＢにより接続しており、ＵＳＢ制御部１２０は、ＵＳＢを介したデータ交換処理を制御する。
【００４０】
駆動機構部１６０を構成するヘッド部１６１は、データ読み取り／書き込み用のレーザーダイオードやフォトダイオードなどを有し、装着されたＭＯに対し光学的なアクセスを行う。アクチュエータ部１６２は、フォーカスアクチュエータ、トラックアクチュエータ、スピンドルモータなどを有し、ヘッドの駆動、ディスクの回転を行う。
【００４１】
ドライバ部１８０は、ヘッド駆動用電力増幅回路やディスク回転モータ制御回路などを有し、メイン制御部１１０からの指示に従って、駆動機構部１６０の動作を制御する。また、ＬＥＤ／音声出力部１７０の動作を制御するドライバ処理も行う。
【００４２】
Ｆ−ＲＯＭ１９０は、メイン制御部１１０が実行するプログラムが格納される記憶領域である。Ｄ−ＲＡＭ１９１は、メイン制御部１１０が処理実行時に必要な情報を一時的に格納するバッファメモリである。
【００４３】
このような構成のＭＯドライブ１００では、ＵＳＢ制御部１２０経由でホストコンピュータ２からアクセス要求コマンドが入力されると、メイン制御部１１０は、Ｆ−ＲＯＭ１９０からプログラムを読み出し、これを実行する。プログラムに従って、アクセス要求コマンドを解析し、アクセス要求のあった領域のアクセス可否を判別し、アクセス可の場合はドライバ部１８０に指示を与え、駆動機構部１６０を動作させ、ＭＯの要求先アドレスから記録データの読み出し、あるいは要求先アドレスにデータ書き込みを行う手順を実行する。また、アクセス制限情報に基づいてアクセスを拒否する場合は、ドライバ部１８０に指示を与え、ＬＥＤ／音声出力部１７０にアクセス制限情報に基づくアクセス拒否を通知する表示あるいは音声出力を行う手順を実行する。
【００４４】
ここで、ＭＯドライブの外観について説明する。図３は、本発明が適用されるＭＯドライブの外観の一例である。
ＭＯドライブ１００は、装置前面に、ＭＯを挿入するためのＭＯ挿入口１６５と、通常状態ではＭＯへのアクセス状態を表示するアクセス表示ＬＥＤ１７１を備える。使用者は、目視によりＭＯ挿入口１６５を確認してＭＯを装着し、初期のアクセス状態をアクセス表示ＬＥＤ１７１で監視することが多い。また、装着時にアクセス表示ＬＥＤ１７１を見ていない場合であっても、アクセスが正常に行われないときは、一般的に、アクセス表示ＬＥＤ１７１を見て、メディア異常あるいは装置異常のどちらが発生したかを予測する。
【００４５】
このように、装置前面に設けられたアクセス表示ＬＥＤ１７１は、アクセスが正常に行われているかどうかを確認する場合に注視されるものであるので、これを用いることによりアクセス制限情報に基づくアクセス拒否の通知を効果的に行うことができる。もちろん、ＭＯドライブ１００だけで通知処理が完結するので、ホストコンピュータ２のアプリケーション実装状態によらず、通知を行うことができるという利点もある。
【００４６】
以下、上記の説明のＭＯドライブによるアクセス制限情報を用いたセキュリティチェックと、アクセス制限情報に基づくアクセス拒否の通知処理について、具体例を用いて説明する。なお、以下の説明では、ＭＯの所定の領域に記録されたパスワードと、ホストコンピュータ側のユーティリティから送られてくるパスワードを照合し、一致した場合にアクセスを許可するセキュリティチェックを行うとする。
【００４７】
まず、第１の実施の形態として、アクセス表示ＬＥＤ１７１が単色ＬＥＤで、装置の動作状態表示として、アクセス時にはＬＥＤを点灯し、非アクセス時にはＬＥＤを消灯する動作を行うＭＯドライブにおける処理について説明する。
【００４８】
図４は、本発明の第１の実施の形態の処理手順を示したフローチャートである。
使用者がＭＯを装着すると、処理が開始される。
［ステップＳ１１］  装着されたＭＯの所定の領域に記録されているアクセス制限情報のパスワードを読み出す処理を開始する。このとき、ＭＯにアクセスしていることを示すため、アクセス表示ＬＥＤ１７１を点灯させる。
【００４９】
［ステップＳ１２］  所定の領域に記録されているパスワードの読み出しが完了したら、アクセス表示ＬＥＤ１７１を消灯し、アクセスが完了したことを通知する。
以上の処理手順により、ＭＯに記録されたパスワードが取得される。
【００５０】
続いて、使用者がホストコンピュータからアクセス要求を行うと、以下の処理が開始される。
［ステップＳ１３］  使用者の操作に応じた、データ読み出しまたはデータ書き込みのメディアアクセスのコマンドをホストコンピュータより受信する。このとき、ホストコンピュータで専用のアプリケーションが起動されていれば、アクセス指示とともにパスワードが送信される。
【００５１】
［ステップＳ１４］  ＭＯより読み出したパスワードと、ホストコンピュータより取得したパスワードを照合し、データアクセス可否を判別する。パスワードが設定されていない（セキュリティが設定されていない）場合、およびパスワードが一致している場合にはデータアクセスを可能とする。パスワードが一致していない場合、データアクセス不可とし、ステップＳ１６へ処理を進める。
【００５２】
［ステップＳ１５］  データアクセスを可とする場合、データ操作を許可する設定を行い、ホストコンピュータの発行したメディアアクセスのコマンドに応じて、データの読み出し、あるいはデータの書き込みを行う。この場合、アクセス表示ＬＥＤ１７１は、ＭＯへのアクセス時に点灯、非アクセス時に消灯させる。データ操作終了後、ステップＳ１３に戻って、ホストコンピュータからのアクセス要求を待つ。
【００５３】
［ステップＳ１６］  データアクセスを不可とする場合、アクセス拒否をホストコンピュータに通知する。なお、アクセス拒否がアクセス制限情報に基づくものであれば、アクセス制限情報に基づくアクセス拒否を通知する。これにより、ホストコンピュータで専用のアプリケーションが起動されていれば、使用者は、これを知ることができる。
【００５４】
［ステップＳ１７］  アクセス制限情報に基づくデータアクセス不可の場合、さらに、これを通知するため、ＬＥＤの表示を操作する。例えば、少なくともアクセス時に点灯する最大の時間より長い時間であって、使用者が表示に気づくのに十分な所定の期間、ＬＥＤの点灯を継続させる。また、使用者が表示に気づくのに十分な所定の期間、継続的にＬＥＤを点滅表示させてもよい。点滅表示は、アクセス実行時の点滅と区別することが容易となるように、例えば、アクセス実行時の最小の点灯時間より短い時間周期で点滅させたり、最大の点灯時間より長い時間周期で点滅させてもよい。このように、所定の期間、アクセス制限情報に基づくアクセス拒否の通知の表示をした後、ステップＳ１３に戻って、ホストコンピュータからのアクセス要求を待つ。
【００５５】
以上の処理手順により、アクセス制限情報に基づいてアクセスが拒否された場合、アクセス表示ＬＥＤ１７１は、通常のアクセス状態の表示とは異なる表示（所定の期間点灯が継続、または規則的な点滅が継続される）となる。このため、使用者は、アクセス表示ＬＥＤ１７１を確認すれば、アクセスできないのがアクセス制限情報に基づくアクセス拒否が原因であることがわかる。
【００５６】
なお、上記の説明では、アクセス時にＬＥＤを点灯させる場合について、説明したが、アクセス時にＬＥＤを消灯、非アクセス時にＬＥＤを点灯させる装置においても同様の処理を行うことができる。この場合、アクセス制限情報に基づくアクセス拒否では、所定の期間ＬＥＤの消灯を継続させる。
【００５７】
次に、第２の実施の形態として、アクセス表示ＬＥＤ１７１が多色ＬＥＤで、装置の動作状態表示として、アクセス時には第１の表示色を表示し、非アクセス時には第２の表示色を表示する動作を行うＭＯドライブにおける処理について説明する。
【００５８】
図５は、本発明の第２の実施の形態の処理手順を示したフローチャートである。図４と同じものには同じ番号を付し、説明は省略する。ステップＳ１１からステップＳ１６までのアクセス可否処理は、図４と同様であるので、異なる箇所のみ説明する。
【００５９】
ステップＳ１５のデータアクセス可の処理は、第２の実施の形態の場合、アクセス表示ＬＥＤ１７１の表示は、アクセス時に第１の表示色(例えば赤)、非アクセス時に第２の表示色（例えば緑）を表示させる。
【００６０】
以下、アクセス制限情報に基づくアクセス拒否の通知処理について説明する。
［ステップＳ１８］  アクセス制限情報に基づくデータアクセス不可の場合、さらに、これを通知するため、ＬＥＤの表示を操作し、ＬＥＤの表示色を変化させる。例えば、アクセス状態を示す第１の表示色である赤と、非アクセス状態を示す第２の表示色である緑を同時に点灯し、第３の表示色を所定の期間表示する。所定の期間は、第１の実施の形態と同様に、使用者が表示に気づくのに十分な時間である。このように、所定の期間、アクセス制限情報に基づくアクセス拒否の通知の表示をした後、ステップＳ１３に戻って、ホストコンピュータからのアクセス要求を待つ。
【００６１】
以上の処理手順により、アクセス制限情報に基づいてアクセスが拒否された場合、アクセス表示ＬＥＤ１７１は、通常のアクセス状態の表示とは異なる表示色となる。このため、使用者は、アクセス表示ＬＥＤ１７１を確認すれば、アクセスできないのがアクセス制限情報に基づくアクセス拒否が原因であることがわかる。
【００６２】
上記の説明では、装置の動作状態をアクセス表示ＬＥＤ１７１で行う場合について説明したが、装置によっては、装置異常が検出された場合に、ブザーなどの音声出力を行う。以下、音声出力を行うことによって装置の異常を通知する動作を行うＭＯドライブにおける処理について説明する。
【００６３】
図６は、本発明の第３の実施の形態の処理手順を示したフローチャートである。図４と同じものには同じ番号を付し、説明は省略する。ステップＳ１１からステップＳ１６までのアクセス可否処理は、図４と同様であるので、説明を省略する。
【００６４】
以下、アクセス制限情報に基づくアクセス拒否の通知処理について説明する。
［ステップＳ１９］  アクセス制限情報に基づくデータアクセス不可の場合、さらに、これを通知するため、注意を促す音声出力を行う。例えば、ブザーなどが搭載されていれば、装置異常を表すブザー出力パターンとは異なる出力パターンの音を所定の期間出力する。所定の期間は、第１、第２の実施の形態と同様に、使用者が表示に気づくのに十分な時間である。このように、所定の期間、アクセス制限情報に基づくアクセス拒否の通知の表示をした後、ステップＳ１３に戻って、ホストコンピュータからのアクセス要求を待つ。また、ＭＯドライブに音声発生装置を搭載し、アクセス制限情報によるアクセス拒否であるというメッセージを音声で流すようにしてもよい。
【００６５】
以上の処理手順により、アクセス制限情報に基づいてアクセスが拒否された場合、音声でこれを通知する。このため、使用者は、アクセスできないのがアクセス制限情報に基づくアクセス拒否が原因であることがわかる。
【００６６】
なお、上記の実施の形態の説明では、リムーバブルメディアをＭＯとして説明したが、本発明は内部にアクセス制限情報が記録されたリムーバブルメディアのリードライト装置に対して適用することができる。リムーバブルメディアには、ＭＯの他、磁気記憶媒体、光ディスク、半導体メモリなどがある。磁気記憶媒体には、ハードディスク装置（ＨＤＤ）、フレキシブルディスク（ＦＤ）、磁気テープなどがある。光ディスクには、ＤＶＤ(Digital Versatile Disc)、ＤＶＤ−ＲＡＭ(Random Access Memory)、ＣＤ−ＲＯＭ(Compact Disc Read Only Memory)、ＣＤ−Ｒ(Recordable)／ＲＷ(ReWritable)などがある。
【００６７】
（付記１）  着脱自在な可搬型記憶媒体に記録されている所定のアクセス制限情報に基づいて読み出しあるいは書き込みのアクセス制限を行う可搬型記憶媒体のリードライト装置において、
視覚あるいは聴覚を通じて使用者に装置の動作状態を通知する通知手段と、
前記可搬型記憶媒体へのアクセスに先立って、前記可搬型記憶媒体から前記アクセス制限情報を読み出す読み出し手段と、
前記可搬型記憶媒体へのアクセス可否を判別し、前記アクセス制限情報に基づいてアクセス拒否の判別がされた場合、前記通知手段に前記装置の動作状態の通知とは異なる動作をさせて前記アクセス制限情報に基づくアクセス拒否を通知する判別手段と、
を具備することを特徴とする可搬型記憶媒体のリードライト装置。
【００６８】
（付記２）  前記判別手段は、前記通知手段による前記アクセス制限情報に基づくアクセス拒否の通知を、使用者が通知を認識可能な所定の期間継続させることを特徴とする付記１記載の可搬型記憶媒体のリードライト装置。
【００６９】
（付記３）  前記通知手段は、前記可搬型記憶媒体へのアクセス実行時に点灯または消灯することによって前記可搬型記憶媒体へのアクセス状態を表示する表示手段であり、
前記判別手段は、前記アクセス制限情報に基づくアクセス拒否の通知の際、前記表示手段の点灯または消灯あるいは規則的な点滅を所定の期間継続させる、
ことを特徴とする付記１記載の可搬型記憶媒体のリードライト装置。
【００７０】
（付記４）  前記判別手段は、前記可搬型記憶媒体へのアクセス実行時間に応じて点灯または消灯される最大の時間より長い時間点灯または消灯を継続させることを特徴とする付記３記載の可搬型記憶媒体のリードライト装置。
【００７１】
（付記５）  前記判別手段は、前記可搬型記憶媒体へのアクセス実行時間に応じて点灯または消灯される最小の時間より短い時間、あるいは最大の時間より長い時間周期で規則的な点灯と消灯を繰り返させることを特徴とする付記３記載の可搬型記憶媒体のリードライト装置。
【００７２】
（付記６）  前記通知手段は、前記可搬型記憶媒体へのアクセス時の表示色と非アクセス時の表示色とを異なる色にすることによって前記可搬型記憶媒体へのアクセス状態を表示する表示手段であり、
前記判別手段は、前記アクセス制限情報に基づくアクセス拒否の通知の際、所定の期間前記表示手段を前記アクセス時および前記非アクセス時の表示色とは異なる表示色で表示させる、
ことを特徴とする付記１記載の可搬型記憶媒体のリードライト装置。
【００７３】
（付記７）  前記表示手段は、少なくとも前記可搬型記憶媒体へのアクセス時に点灯させる第１表示部と、非アクセス時に点灯させる第２表示部とを有し、
前記判別手段は、前記アクセス制限情報に基づくアクセス拒否の通知の際、前記第１表示部と前記第２表示部とを同時に点灯させることを特徴とする付記６記載の可搬型記憶媒体のリードライト装置。
【００７４】
（付記８）  前記通知手段は、装置の異常が検出された場合に装置異常を通知する音声出力手段であり、
前記判別手段は、前記アクセス制限情報に基づくアクセス拒否の通知の際、他の要因による前記装置異常の通知とは異なる音声を出力させる、
ことを特徴とする付記１記載の可搬型記憶媒体のリードライト装置。
【００７５】
（付記９）  着脱自在な可搬型記憶媒体に記録されている所定のアクセス制限情報に基づいて読み出しあるいは書き込みのアクセス制限を行うリードライト装置において前記可搬型記憶媒体へのアクセス可否を判別する記憶媒体判別方法であって、
前記可搬型記憶媒体へのアクセスに先立って、前記可搬型記憶媒体から前記アクセス制限情報を読み出し、
前記アクセス制限情報を用いて前記可搬型記憶媒体へのアクセス可否を判別し、
前記アクセス制限情報に基づいて前記可搬型記憶媒体へのアクセス拒否が判別された場合に、視覚あるいは聴覚を通じて使用者に装置の動作状態を通知する通知手段に前記装置の動作状態の通知とは異なる動作をさせて前記アクセス制限情報に基づくアクセス拒否を通知する、
手順を有することを特徴とする記憶媒体判別方法。
【図面の簡単な説明】
【００７６】
【図１】本発明の実施の形態に適用される発明の概念図である。
【図２】本発明が適用されるＭＯドライブの構成図である。
【図３】本発明が適用されるＭＯドライブの外観の一例である。
【図４】本発明の第１の実施の形態の処理手順を示したフローチャートである。
【図５】本発明の第２の実施の形態の処理手順を示したフローチャートである。
【図６】本発明の第３の実施の形態の処理手順を示したフローチャートである。
【図７】従来の可搬型記憶媒体挿入時のセキュリティチェックの手順を示したフローチャートである。
【符号の説明】
【００７７】
１  リードライト装置
２  ホストコンピュータ
１１  制御手段  
１２  ホストインタフェース（Ｉ／Ｆ）手段
１３  判別手段
１４  書き込み手段
１５  読み出し手段
１６  駆動機構部
１７  通知手段
１００  ＭＯドライブ
１１０  メイン制御部
１２０  ＵＳＢ制御部
１６０  駆動機構部
１６１  ヘッド部
１６２  アクチュエータ部
１７０  ＬＥＤ／音声出力部
１８０  ドライバ部
１９０  Ｆ−ＲＯＭ
１９１  Ｄ−ＲＡＭ
【図１】
2005085318.tif 000003
【図２】
2005085318.tif 000004
【図３】
2005085318.tif 000005
【図４】
2005085318.tif 000006
【図５】
2005085318.tif 000007
【図６】
2005085318.tif 000008
【図７】
2005085318.tif 000009